(57)【要約】【課題】液晶表示部の背面側にされたリモコン受光部を用いて，リモコンから送信されるリモート信号をバックライト光の影響を受けずに受信することのできる液晶表示装置を提供すること。【解決手段】リモコンから送信されるリモート信号（図４（ａ））よりも高い周波数（図４（ｄ）のＬＥＤ駆動信号）で点滅制御されるバックライト装置の光源の消灯のタイミングで，液晶パネルの背面側に配置された赤外線受光手段による赤外線の受光結果を取得し，該取得された赤外線の受光結果（図４（ｅ）のサンプリングデータ）に基づいて各種の処理を実行することを特徴として構成されている。これにより，バックライト装置の光源から発光される光による影響（ノイズ）を防止することができる。【選択図】図４
2009290673.tif 000002
【特許請求の範囲】
【請求項１】
映像の表示に用いられる液晶パネルと，前記液晶パネルを背面側から照明する光源を有するバックライト装置と，前記バックライト装置の光源の点滅制御を行う光源点滅制御手段と，リモート操作器から赤外線で送信されるリモート信号に対応する各種の処理を実行するリモート信号処理手段とを備えてなる液晶表示装置であって，
前記液晶パネルの背面側に配置され，リモート操作器から送信される赤外線を受光する１又は複数の赤外線受光手段と，前記光源点滅制御手段によって前記リモート信号よりも高い周波数で点滅制御される前記光源の消灯のタイミングで前記赤外線受光手段による赤外線の受光結果を取得する消灯時取得手段とを備えてなり，
前記リモート信号処理手段が，前記消灯時取得手段によって取得された前記赤外線受光手段による赤外線の受光結果に基づいて各種の処理を実行してなることを特徴とする液晶表示装置。
【請求項２】
前記消灯時取得手段によって取得された前記赤外線受光手段による赤外線の受光結果に基づいて前記リモート信号を復元するリモート信号復元手段を更に備えてなり，
前記リモート信号処理手段が前記リモート信号復元手段によって復元されたリモート信号に対応する各種の処理を実行してなる請求項１に記載の液晶表示装置。
【請求項３】
前記光源が，発光ダイオード及び／又は冷陰極管を含んでなる請求項１又は２のいずれかに記載の液晶表示装置。
【請求項４】
前記液晶パネルの背面側に配置され，前記光源による発光色を検出する発光色検出手段と，前記発光色検出手段による検出結果に基づいて前記光源による発光色を調整する発光色制御手段とを更に備えてなり，
前記発光色検出手段が前記赤外線受光手段を兼ねてなる請求項３に記載の液晶表示装置。
【請求項５】
前記発光色検出手段が，前記液晶パネルの背面側における複数のエリア毎に配置された複数の発光色検出手段を含んでなり，
前記発光色制御手段が，複数の前記発光色検出手段による検出結果に基づいて前記光源による前記エリア毎の発光色を調整するものであって，
前記リモート信号処理手段が，複数の前記発光色検出手段のいずれか一つ又は複数による検出結果に基づいて各種の処理を実行してなる請求項４に記載の液晶表示装置。
【発明の詳細な説明】
【技術分野】
【０００１】
本発明は，液晶パネルを有する液晶表示部によって映像を表示する液晶表示装置であって，リモート操作器から赤外線によって出力されるリモート信号を受信し，そのリモート信号に応じて処理を実行する液晶表示装置に関するものである。
【背景技術】
【０００２】
従来から，入力映像信号に基づく映像（動画）を表示する液晶表示部と，その液晶表示部をその背面側から照明するＬＥＤや蛍光管を有するバックライト装置とを備えるテレビジョン受像機などの液晶表示装置が周知である。ここに，液晶表示部は，表示映像の各画素に対応する複数の液晶素子が形成された液晶パネルを有しており，その液晶パネル上の液晶素子を通じて映像を表示するものである。
また，液晶表示装置では，リモート操作器（以下「リモコン」という）から赤外線によって出力されるリモート信号を受信し，そのリモート信号に応じてチャンネル選局処理や音量調節処理などの各処理が実行される。ここで，リモート操作器から出力される赤外線を受光するリモコン受光部は，液晶表示装置の前面パネルにおいて液晶表示部の外側に配置される。
しかし，ユーザによってリモコンの操作が行われる場合に，そのリモコンが液晶表示装置のリモコン受光部ではなく，液晶表示部の表示映像に向けて操作されることは少なくない。そのため，液晶表示部の外側に設けられたリモコン受光部ではリモート信号を受信することができないおそれがある。特に，大型の液晶表示部を有する液晶表示装置では，その液晶表示部の表示映像からリモコン受光部の間の距離が長くなるため，その表示映像に向けて照射された赤外線をリモコン受光部で受光することができない可能性が高くなる。
一方，特許文献１には，背面投写型ＴＶにおいて，映像が投写される透過式スクリーンを通過してキャビネット内に到達するリモコンからの信号光を，そのキャビネット内に配置されたリモコン受光部により受光する技術について示されている。このような構成では，透過式スクリーンの奥にリモコン受光部が配置されるため，該透過式スクリーンの表示映像に向けてリモコン操作がなされた場合に，そのリモコン受光部でリモート信号を受光することが可能である。
【特許文献１】実開昭６２−８７６１号公報
【発明の開示】
【発明が解決しようとする課題】
【０００３】
しかしながら，特許文献１に示された技術を背面投写型ではない液晶表示装置にそのまま適用すると問題が生じる。具体的に，液晶表示装置では，液晶パネルの背面側にバックライト装置が配置されるため，液晶パネルの背面側にリモコン受光部を配置すると，バックライト装置から照射される光もリモコン受光部に入射される。そのため，バックライト装置から照射される光に含まれた赤の波長成分が，リモコン受光部で受光される赤外線によるリモート信号のノイズとなり，リモート信号を正しく認識することができないという状況が想定される。これにより，ユーザにリモコン操作が行いづらいという印象を与えるおそれがある。
従って，本発明は上記事情に鑑みてなされたものであり，その目的とするところは，液晶表示部の背面側に配置されたリモコン受光部を用いて，リモコンから送信されるリモート信号をバックライト光の影響を受けずに受信することのできる液晶表示装置を提供することにある。
【課題を解決するための手段】
【０００４】
上記目的を達成するために，本発明は，映像の表示に用いられる液晶パネルと，前記液晶パネルを背面側から照明する光源を有するバックライト装置と，前記バックライト装置の光源の点滅制御を行う光源点滅制御手段と，リモート操作器から赤外線で送信されるリモート信号に対応する各種の処理を実行するリモート信号処理手段とを備えてなる液晶表示装置に適用されるものである。
そして，本発明に係る液晶表示装置は，前記液晶パネルの背面側に配置され，リモート操作器から送信される赤外線を受光する１又は複数の赤外線受光手段と，前記光源点滅制御手段によって前記リモート信号よりも高い周波数で点滅制御される前記光源の消灯のタイミングで前記赤外線受光手段による赤外線の受光結果を取得する消灯時取得手段とを備えて構成される。また，前記リモート信号処理手段が，前記消灯時取得手段によって取得された前記赤外線受光手段による赤外線の受光結果に基づいて各種の処理を実行するように構成されている。なお，前記光源は，例えば発光ダイオードや冷陰極管を含むものである。
これにより，本発明に係る液晶表示装置では，前記バックライト装置の光源から発光される光が前記赤外線受光手段に入射していないタイミングで前記赤外線受光手段によって受光された前記リモート操作器からの赤外線に基づいて，そのリモート操作器からの指示内容が判断され，前記バックライト装置の光源から発光される光の赤の波長成分の影響を受けずにその指示内容に対応する各種の処理を実行することができる。
なお，当該液晶表示装置では，前記赤外線受光手段が前記液晶パネルの背面側に配置されているため，ユーザによって前記リモート操作器がマンマシンインターフェースとなる映像表示パネルに向けて操作された場合であっても該リモート操作器からのリモート信号を受信することができ，ユーザにとって操作しやすい（ユーザの感覚との親和性の高い）ことはもちろんである。
【０００５】
より具体的な構成としては，前記消灯時取得手段によって取得された前記赤外線受光手段による赤外線の受光結果に基づいて前記リモート信号を復元するリモート信号復元手段を更に備えてなり，前記リモート信号処理手段が前記リモート信号復元手段によって復元されたリモート信号に対応する各種の処理を実行してなることが考えられる。この場合，復元された前記リモート信号は，前記バックライト装置の光源から発光される光の赤の波長成分の影響が除外されたものである。
ところで，従来から液晶表示装置には，前記液晶パネルの背面側に配置され，前記光源による発光色を検出する発光色検出手段と，前記発光色検出手段による検出結果に基づいて前記光源による発光色を調整する発光色制御手段とが設けられる場合がある。この場合には，前記発光色検出手段を前記赤外線受光手段として用いること，即ち前記光強度検出手段が前記赤外線受光手段を兼ねてなることが考えられる。これにより，前記赤外線受光手段を個別に設ける必要がなく構成を簡素化することができる。
特に，前記液晶パネルが大型の場合などでは，前記発光色検出手段が，前記液晶パネルの背面側における複数のエリア毎に配置された複数の発光色検出手段を含んでなり，前記発光色制御手段が，複数の前記発光色検出手段による検出結果に基づいて前記光源による前記エリア毎の発光色を調整するものであることが考えられる。この場合には，複数の前記発光色検出手段が存在するため，前記リモート信号復元手段が，複数の前記発光色検出手段のいずれか一つ又は複数による検出結果に基づいて各種の処理を実行するように構成することが考えられる。これにより，前記液晶パネルにおける広範囲に亘って前記リモート操作器から発信されたリモコン信号を受信することができる。
【発明の効果】
【０００６】
本発明によれば，前記バックライト装置の光源から発光される光が前記赤外線受光手段に入射していないタイミングで前記赤外線受光手段によって受光された前記リモート操作器からの赤外線に基づいて，そのリモート操作器からの指示内容が判断され，前記バックライト装置の光源から発光される光の赤の波長成分の影響を受けずにその指示内容に対応する各種の処理を実行することができる。なお，当該液晶表示装置では，前記赤外線受光手段が前記液晶パネルの背面側に配置されているため，ユーザによって前記リモート操作器がマンマシンインターフェースとなる映像表示パネルに向けて操作された場合であっても該リモート操作器からのリモート信号を受信することができ，ユーザにとって操作しやすい（ユーザの感覚との親和性の高い）ことはもちろんである。
【発明を実施するための最良の形態】
【０００７】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施の形態に係る液晶表示装置Ｘの主要部の断面を示す模式図，図２は本発明の実施の形態に係る液晶表示装置Ｘに設けられたバックライト装置４の構造を説明するための模式図，図３は本発明の実施の形態に係る液晶表示装置Ｘのシステム構成の要部を示すブロック図，図４は本発明の実施の形態に係る液晶表示装置Ｘにおけるリモート信号の受信処理を説明するための図である。
まず，図１を参照しつつ，本発明の実施形態に係る液晶表示装置Ｘの主要部の構成について説明する。
図１に示すように，液晶表示装置Ｘは，キャビネット１（筐体），液晶パネル２，補強パネル３，バックライト装置４，及びリモコン（リモート操作器）５などを備えて概略構成されており，液晶パネル２，補強パネル３，及びバックライト装置４はキャビネット１に収容されている。例えば，液晶表示装置Ｘは，不図示のアンテナから受信したテレビジョン信号などの映像信号に基づく映像を，液晶パネル２を用いて表示するテレビジョン受像機である。なお，当該液晶表示装置Ｘは，本実施の形態で説明するものの他に，一般的な液晶表示装置やテレビジョン受像機が有する各種の構成部品を備えている。
液晶表示装置Ｘは，リモコン５に対するユーザ操作によって該リモコン５から送信されるリモート信号によって遠隔操作される。本発明の実施の形態に係る液晶表示装置Ｘは，リモコン５から送信されたリモート信号を，液晶パネル２の背面側においてバックライト装置４による照明の影響を受けずに受信することのできる点に特徴を有している。この点については後段で詳説する。
【０００８】
液晶パネル２は，２枚のガラス板，その間に封入された液晶及び偏光フィルタ等が積層された構造を有している。液晶パネル２には，表示映像の各画素に対応する複数の液晶素子が形成されており，該液晶素子を通じて映像が表示される。なお，液晶パネル２は，例えば４０〜５０インチ以上の大型の液晶パネルである。
補強パネル３は，液晶パネル２の前面を覆う透明の板状部材（例えば，ガラス板）であり，液晶パネル２を補強するものである。大型の液晶パネル２は自重が重いため，それ自体の強度（主として２枚のガラス板の強度）が運搬等の際に受ける衝撃（振動）に耐えられずに破損しやすい。そのため，大型（例えば，４０〜５０インチ以上）の液晶パネル２では，その表面に透明の補強パネル３が接着されて補強される。なお，液晶パネル２が小型である場合には補強パネル３を省略してもよい。
バックライト装置４は，複数の発光ダイオード（ＬＥＤ）４１及びカラーセンサ４２（発光色検出手段の一例）を有しており，ＬＥＤ４１を発光させることによって液晶パネル２を背面側から照明する。なお，本実施の形態ではバックライト装置４の光源の一例としてＬＥＤ４１を用いる場合を説明するが，これに限られず，例えばＬＥＤ４１に換えて冷陰極管（ＣＣＦＬ）を用いることや，ＬＥＤ４１（赤色）及び冷陰極管を組み合わせて用いることも他の実施例として考えられる。
【０００９】
ここで，図２を用いて，バックライト装置４について説明する。
図２に示すように，バックライト装置４に設けられたＬＥＤ４１は，赤（Ｒ）の波長光を発光するＬＥＤ４１Ｒ，緑（Ｇ）の波長光を発光するＬＥＤ４１Ｇ，青（Ｂ）の波長光を発光するＬＥＤ４１Ｂを含んでいる。このＬＥＤ４１Ｒ，４１Ｇ，４１Ｂ各々の発光強度は，後述のＬＥＤドライバ８（図３参照）によって個別に制御可能である。なお，図２は，バックライト装置４に配置される複数のＬＥＤ４１の配列を概念的に捉えたものであって，実際は液晶パネル２のサイズに応じて適宜の数のＬＥＤ４１が設けられる。以下，ＬＥＤ４１Ｒ，４１Ｇ，４１Ｂを総称する場合は，単にＬＥＤ４１という。
【００１０】
また，バックライト装置４には，複数のエリア毎にカラーセンサ４２が設けられており，該カラーセンサ４２は，その配置位置におけるバックライト装置４からの発光色を検出し，後述のバックライト制御部７（図３参照）に入力する。具体的に，カラーセンサ４２は，ＲＧＢ各々の波長帯ごとに光の強度を検出する。なお，後述するように，液晶表示装置Ｘでは，この複数のカラーセンサ４２のうち，液晶パネル２の略中央部に設けられたカラーセンサ４２（以下「カラーセンサ４２１」という）を，リモコン５から送信された赤外線を受光する赤外線受光手段として用いるため，少なくともカラーセンサ４２１は赤の波長光の強度を検出し得るものであればよい。
【００１１】
続いて，図３のブロック図を用いて，液晶表示装置Ｘのシステム構成の要部について説明する。
図３に示すように，液晶表示装置Ｘは，メイン制御部６，バックライト制御部７，ＬＥＤドライバ８などを有している。なお，液晶表示装置Ｘには，その他に液晶パネル２に映像を表示させるための映像処理回路や音声を出力するための音声処理回路なども設けられているが，これらについては従来と異なるところがないため，ここでは説明を省略する。
メイン制御部６は，ＣＰＵ（演算手段）やＥＥＰＲＯＭ（不揮発性メモリ）などを備え，各種の制御プログラムを実行することにより当該液晶表示装置Ｘを統括的に制御するものである。具体的に，メイン制御部６は，リモコン５から送信されるリモート信号に対応する各種の処理，例えばチャンネル選局処理や音量調節処理などを実行する。ここに，係る処理を実行するときのメイン制御部６がリモート信号処理手段に相当する。
【００１２】
ＬＥＤドライバ８は，バックライト制御部７からの制御指令（例えばデューティ比）に従ってＬＥＤ４１各々に対する供給電力を調節することにより，該ＬＥＤ４１各々の発光の有無やその強度を調整する。以下，ＬＥＤドライバ８においてＬＥＤ４１を発光させるために発生する信号をＬＥＤ駆動信号という。前記ＬＥＤ駆動信号は，例えば，ＬＥＤ４１への電力供給の有無を切り換えるＦＥＴやトランジスタに入力される信号である。ＬＥＤドライバ８では，ＬＥＤ駆動信号のＰＷＭ制御（点滅制御の一例）を行うことにより，ＬＥＤ４１各々に供給される電力が調整される。係るＰＷＭ制御では，予め定められた制御周波数でＬＥＤ駆動信号のＯＮ／ＯＦＦが切り換えられ，ＬＥＤ４１が点滅する。当該ＰＷＭ制御におけるＬＥＤ４１の点滅制御の周波数は，少なくともリモコンから送信されるリモート信号の周波数よりも高いものであって，例えば１０ｋＨｚ程度である。ここに，係るＬＥＤ４１の点滅制御を行うときのＬＥＤドライバ８が光源点滅制御手段に相当する。
ここで，液晶表示装置Ｘでは，ＬＥＤ駆動信号がバックライト制御部７にも入力されるように構成されている。これにより，バックライト制御部７では，ＬＥＤ駆動信号のＯＮ／ＯＦＦ，即ちＬＥＤ４１の発光／消灯のタイミングを検知することが可能である。
【００１３】
バックライト制御部７は，ＬＥＤドライバ８に制御指令を与えることにより，バックライト装置４のＬＥＤ４１の発光の有無やその強度を制御するものである。なお，前記バックライト制御部７は，例えばＦＰＧＡやＡＳＩＣ等により具現化されている。
例えば，バックライト制御部７は，バックライト装置４における複数のエリア毎に設けられた複数のカラーセンサ４２による検出結果に基づいて，そのエリア毎にＬＥＤ４１Ｒ，４１Ｇ，４１Ｂ各々の発光強度を制御することにより白色光を実現するホワイトバランス制御を実行する。これにより，バックライト装置４から液晶パネル２に照射される光のホワイトバランスのずれは修正される。ここに，ホワイトバランス制御を実行するときのバックライト制御部７が発光色制御手段に相当する。
さらに，液晶表示装置Ｘでは，バックライト制御部７によって，リモコン５から送信されるリモート信号の受信処理が実行される。以下，図４を参照しつつ，バックライト制御部７によって実行されるリモート信号の受信処理について説明する。なお，以下で説明する受信処理はバックライト制御部７と独立して設けられる電気回路や，前記メイン制御部６によって実行されてもかまわない。
【００１４】
まず，液晶表示装置Ｘでは，ユーザによってリモコン５が操作されると，その操作に対応するリモート信号がリモコン５から赤外線によって送信される。具体的に，リモート信号は，パルスの出力間隔（周期）の違いによって“１”，“０”の信号を表すパルス位相変調（ＰＰＭ）で変調された信号である。なお，ここではパルス位相変調を例に挙げて説明するが，これに限られず，従来周知の他の変調手法を採用してもかまわない。
図４（ａ）に示すように，リモート信号には，各々１２ビットの信号で構成された表コードＡ及び裏コードＢが含まれている。表コードＡ及び裏コードＢ各々は，先頭のスタートビット“０”と，末尾のストップビット“１”と，それらの間で送信される１０ビットの信号ビットとからなる。なお，裏コードＢは，表コードＡにおける信号ビットの各ビットが反転されたものである。
図４（ｂ）に示すように，リモート信号では，パルス周期が予め定められたｔ１であれば“０”，ｔ２（ｔ２＝α・ｔ１，αは自然数）であれば“１”を表す。実際には，パルス周期ｔ１が２ｍｓ，パルス周期ｔ２が３ｍｓ程度に設定され，表コードＡ及び裏コードＢ各々は２４〜３６ｍｓ程度の時間で送信される。なお，表コードＡ及び裏コードＢの送信後には所定の待機時間が設けられるため，リモート信号全体は１００ｍｓ程度で送信される。
【００１５】
そして，リモコン５から送信された赤外線によるリモート信号は，液晶表示装置Ｘの液晶パネル２を透過し，該液晶パネル２の背面側に配置されたカラーセンサ４２１で受光されることになる。即ち，カラーセンサ４２１は，リモコン５から送信される赤外線を受光する赤外線受光手段を兼ねている。なお，液晶パネル２は一般的に，映像の表示の有無にかかわらず波長の長い赤外線を透過するという性質を有するものであることは，測定等によって確認されている。
一方，液晶表示装置Ｘでは，液晶パネル２の背面側に配置されたカラーセンサ４２１には，リモコン５からの赤外線だけではなく，バックライト装置４から照明される光も同時に入射することになる。そのため，カラーセンサ４２１を用いて，リモコン５からのリモート信号を受信する場合には，リモート信号にバックライト装置４からの照明に含まれた赤色の波長光によるノイズが含まれ，そのリモート信号を正しく受信することができないおそれがある。
そこで，本発明の実施の形態に係る液晶表示装置Ｘでは，バックライト制御部７によって，カラーセンサ４２１による受光結果から，リモコン５から出力された赤外線の受光結果だけが抽出され，メイン制御部６では，その受光結果に基づいて各種の処理が実行される。
【００１６】
具体的に，バックライト制御部７は，ＬＥＤドライバ８によるＰＷＭ制御によってリモート信号よりも高い周波数で点滅制御されているＬＥＤ４１が消灯するタイミングで，カラーセンサ４２１による検出結果を取得する処理を実行する。ここに，係る処理を実行するときのバックライト制御部７が消灯時取得手段に相当する。以下，当該処理によって取得されるカラーセンサ４２１の検出結果をサンプリングデータと称する。
なお，バックライト制御部７には，前述したようにＬＥＤドライバ８からＬＥＤ駆動信号が入力されるため，該バックライト制御部７では，そのＬＥＤ駆動信号に基づいてＬＥＤ４１の消灯のタイミングを判断することができる。
【００１７】
ここに，図４（ｃ）は前記表コードＡの先頭２ビットの信号Ａ１，Ａ２，図４（ｄ）は前記ＬＥＤ駆動信号，図４（ｅ）は信号Ａ１，Ａ２のサンプリングデータを示している。
図４（ｃ）に示すように，赤外線による信号Ａ１，Ａ２がカラーセンサ４２１に入射されているとき，バックライト制御部７は，図４（ｄ）に示すＬＥＤ駆動信号に基づいて，ＬＥＤ４１が消灯されるタイミングでカラーセンサ４２１による検出結果を取得することにより，図４（ｅ）に示す信号Ａ１，Ａ２に対応するサンプリングデータを取得する。なお，カラーセンサ４２１による検出結果は，赤外線の受光量が予め設定された閾値以上である場合に“１”を示す。
ここで取得される信号Ａ１，Ａ２のサンプリングデータでは，ＬＥＤ駆動信号が“０”でカラーセンサ４２１による検出結果が“１”である場合には“１”，ＬＥＤ駆動信号が“１”又はカラーセンサ４２１による検出結果が“０”である場合には“０”となる。即ち，このサンプリングデータは，ＬＥＤ４１が発光している場合のカラーセンサ４２１による検出結果を除外したものである。
【００１８】
そして，バックライト制御部７は，上述の処理によって得られたリモート信号全体のサンプリングデータに基づいて，リモコン５から送信されたリモート信号を復元する。例えば，図４（ｅ）に示された信号Ａ１，Ａ２のサンプリングデータに基づいて図４（ｃ）に示された信号Ａ１，Ａ２が復元される。ここに，係る復元処理を実行するときのバックライト制御部７がリモート信号復元手段に相当する。なお，係る復元処理の手法については従来周知のＤ／Ａ変換技術などを用いればよく，特定の復元手法に限られない。
このとき，ＬＥＤ４１の消灯のタイミングで取得されるサンプリングデータのデータ量は，ＬＥＤ４１の点滅の周波数がリモート信号の周波数に対して相対的に高いほど多くなり，該サンプリングデータ量が多いほど，復元されたリモート信号の信頼性が高まる。例えば，当該液晶表示装置Ｘでは，リモート信号の信号Ａ１，Ａ２のパルス幅が２ｍｓ又は３ｍｓ（即ち周波数は０．５ｋＨｚ又は０．３ｋＨｚ程度）であるため，ＬＥＤ駆動信号の周波数を１０ｋＨｚ以上に設定しておくことで，十分高い信頼性をもって復元を行うことができる。
【００１９】
その後，バックライト制御部７は，前記サンプリングデータに基づいて復元した後のリモート信号をメイン制御部６に入力する。
これにより，メイン制御部６は，リモコン５から送信されたリモート信号に対応する各種の処理を実行する。このとき，メイン制御部６に入力されるリモート信号は，ＬＥＤ４１が消灯しているときに取得されたサンプリングデータに基づくものであって，バックライト制御部７においてバックライト装置４からの照明の影響が除外された信号であるため，該メイン制御部６によって実行される処理は，リモコン５から送信されたリモート信号に対応した適切なものである。
【００２０】
以上，説明したように液晶表示装置Ｘでは，液晶パネル２の背面側に配置されたカラーセンサ４２１を用いてリモート信号を受信する際，リモート信号の検出タイミングをＬＥＤ４１の消灯タイミングと同期させることにより，バックライト装置４からの照明に含まれた赤の波長成分の光の影響を受けずにリモート信号を受信することができる。
このように構成された液晶表示装置Ｘでは，ユーザがリモコン５をマンマシンインターフェースとなる液晶パネル２に向けて操作した場合に，その液晶パネル２の背面側に配置されたカラーセンサ４２１によってリモート信号を受信することができるため，ユーザによる操作性の向上（ユーザの感覚との親和性の向上）を実現することができる。
また，液晶表示装置Ｘでは，ホワイトバランス制御を行う目的で設けられたカラーセンサ４２（４２１）を用いて，リモート信号を受信しているため，該リモート信号の受信のために赤外線受光センサを別途設ける必要がなく，構成を簡素化することができる。
【００２１】
ところで，当該液晶表示装置Ｘでは，バックライト制御部７においてＬＥＤ４１の点灯のタイミングも検知することが可能であるため，バックライト制御部７で実行されるホワイトバランス制御において，ＬＥＤ４１の点灯タイミングでカラーセンサ４２からの検出結果を取得し，その検出結果に基づいてＬＥＤ４１Ｒ，４１Ｇ，４１Ｂ各々の光量を調整してもよい。
また，本実施の形態では，カラーセンサ４２を用いてリモート信号を受信する場合を例に挙げて説明したが，もちろんカラーセンサ４２とは別で，液晶パネル２の背面側にリモート信号受信用の赤外線受光センサ（リモコン受光手段の一例）を設けておくことも他の実施例として考えられる。
【００２２】
さらに，液晶表示装置Ｘのように複数のカラーセンサ４２が設けられている構成では，複数のカラーセンサ４２のいずれか一つを選択的に用いることも考えられる。例えば，複数のカラーセンサ４２のうち最も赤外線の受光強度が高かったカラーセンサ４２による受光結果に基づいてリモート信号を復元することが考えられる。また，複数のカラーセンサ４２による検出結果に基づいてリモート信号を復元することも考えられる。例えば，複数のカラーセンサ４２による検出結果の平均値や合計値などを用いてリモート信号を復元すればよい。
このような構成によれば，液晶パネル２が大型である場合に，その液晶パネル２の広範囲に亘ってリモコン５からのリモート信号を受信することが可能であり，ユーザによるリモコン５の操作性を高めることができる。
【図面の簡単な説明】
【００２３】
【図１】本実施の形態に係る液晶表示装置の主要部の断面を示す模式図。
【図２】本実施の形態に係る液晶表示装置に設けられたバックライト装置の構造を説明するための模式図。
【図３】本実施の形態に係る液晶表示装置のシステム構成の要部を示すブロック図。
【図４】本実施の形態に係る液晶表示装置におけるリモート信号の受信処理を説明するための図。
【符号の説明】
【００２４】
１…キャビネット（筐体）
２…液晶パネル
３…補強パネル
４…バックライト装置
４１，４１Ｒ，４１Ｇ，４１Ｂ……ＬＥＤ（光源の一例）
４２…カラーセンサ（赤外線受光手段の一例）
４２１…カラーセンサ（赤外線受光手段の一例）
５…リモコン（リモート操作器）
６…メイン制御部
７…バックライト制御部
８…ＬＥＤドライバ
Ｘ…液晶表示装置
【図１】
2009290673.tif 000003
【図２】
2009290673.tif 000004
【図３】
2009290673.tif 000005
【図４】
2009290673.tif 000006